(57)【要約】【課題】  張設した透光性シートの引張力による枠体に撓みを生じさせず、或いは撓みを矯正でき、かつ照明カバーの目地間隔を一定に維持可能な装置を提供する。【解決手段】  下枠部２１の上外側に凹陥状のシート係止部２２を、その上側に支持材当接部２４を、内側に目地フック用係合部２３を各形成してなる枠体１に、透光性シート３を張設して照明カバー４とし、一方、側面にスライド溝５１を形成してなる支持材５を所定間隔で天井側に架設し、基端部６１から逆Ｌ字状に係止片６３を張出し形成してなる目地フック６を、基端部をスライド溝に係合させて支持材に固着し、照明カバーを支持材に吊架するとともに、係止片の内側に枠体の目地フック用係合部を係合させ、枠体中間部を目地フックで係止させて照明カバー装置とした。【選択図】      図１
2005203126.tif 000002
【特許請求の範囲】
【請求項１】
枠体に透光性シートを張設してなる照明カバーが、所定間隔で架設されている支持材に対して上記枠体を沿わせて吊架され、係止片を突設してなる目地フックの基端部が支持材に固着され、枠体の枠辺の中間部内側が上記係止片で係止されているようにしてなる構成を有する照明カバー装置。
【請求項２】
枠体に透光性シートを張設してなる照明カバーが、所定間隔で架設されている支持材に対して上記枠体を沿わせて吊架され、係止片を突設してなる目地フックの基端部が支持材にスライド可能に係合して固着され、枠体の枠辺の中間部内側が上記係止片で係止されているようにしてなる構成を有する照明カバー装置。
【請求項３】
支持材の側面に長手方向にスライド可能に係合する基端部と、基端部から照明カバーの透光面方向に突出し、枠体の枠辺内側に接合可能に設けた係止片とを有してなる照明カバー装置用目地フック。
【発明の詳細な説明】
【技術分野】
【０００１】
本発明は、透光性シートを枠体に張設した照明カバーを支持材に吊架する照明カバー装置、及び装置に用いる目地フックに関する。
【背景技術】
【０００２】
天井面を広く覆う照明カバーの主なものとして、適度な透孔性と適度な非透過性（隠蔽性）を有する光拡散性シート、例えば、耐熱性、不燃性、防汚性が優れたものとして透光性のガラス繊維などの無機質繊維クロスに耐熱透光性樹脂シートを貼着してなる積層シートなどを、四周を囲い形成した枠体に張設したものが使用されている。
この種のシートは弛みなく張設しなければならないが、腰が強いため強く引張しなければならず、張設状態において大きな引張力が枠体に負荷されることから、シート周縁部を枠体の外側に回し、引張力によってシートがずれないように固定すべく、枠体の外側面に係止用凹陥部を設け、ここにシート端部を係止させる工夫がなされている。特許文献１，２に例示されている如くである。
また、照明カバーを天井面に設置するには、所定間隔で架設した支持材に枠体を支持させることになるが、メンテナンスなどのために、照明カバーを下方に引き外し可能に支持させる必要がある。このために、特許文献３の如く、ばね圧に抗して枠体を下方に引き下げ可能なように、枠体に結合したVばねを支持材に上下方向に通し、ばね圧で支持材に固定させるか、或いは、特許文献４の如く、枠体に垂直上方に延びるガイド棒を固着し、このガイド上部を支持材に挿通し、ガイド中間部を支持材に固定させるようにしている。
【０００３】
【特許文献１】特開平９−１６７５１０号公報
【特許文献２】特開平６−５１７０４号公報
【特許文献３】特開平７−１５０６７５号公報
【特許文献４】特開２０００−１０６０２５号公報
【発明の開示】
【発明が解決しようとする課題】
【０００４】
しかし、引張力の強いシートを、係止端部がずれてシートが緩むことがないように張設すれば、シートの引張力がそのまま枠体に負荷となって作用することになる。枠体は軽量性、加工容易性、コスト面などから、アルミニウム押出材の使用が好ましいが、枠体が大きくなれば、枠一辺が長くなり、大きくなるほどに枠体に撓みが生じやすくなる。シートの弛み防止の張設構造の改良が、枠体の撓みという思わぬ影響をもたらし、結局シートの弛み、歪みを引き起こすことにつながる。
一方、枠体は、ばね連結するかガイド棒を介して連結するなどして、支持材に固定されているが、水平方向の撓みなどの水平移動を規制する構成のものとはなっていないので、枠体の変形が枠体間の目地間隔をも狂わせることになる。施工時においても精度の高い目地出しがなかなか難しい。これらを考慮して、枠体を支持材にビス止めするのでは施工作業のみならず、メンテナンス作業をも非効率なものとしてしまう。
【０００５】
本発明者は、従来のシート張設構成には上記のような問題点があることに着眼して本発明に至ったものであり、シートを枠体に張設してなる照明カバーを高い目地精度を以って支持材に架設することができるとともに、設置状態において枠体に変形を生じさせないようにし、或いは生じた変形を矯正して変形を生じさせないようにし、シートを緩みなく張設維持できるようにした照明カバー装置及びそれに使用する目地フックを提供せんとするものである。
【課題を解決するための手段】
【０００６】
上記課題を解決するために、本発明は、枠体に透光性シートを張設してなる照明カバーが、所定間隔で架設されている支持材に対して上記枠体を沿わせて吊架され、係止片を突設してなる目地フックの基端部が支持材に固着され、枠体の枠辺の中間部内側が上記係止片で係止されているようにしてなる構成を有する照明カバー装置としたものである。
上記係止片を突設してなる目地フックの基端部は、支持材にその長手方向にスライド可能に係合して固着され、枠体の枠辺の中間部内側が上記係止片で係止されているようにするのが好ましい。
また、本発明は、支持材の側面に長手方向にスライド可能に係合する基端部と、基端部から照明カバーの透光面方向に突出し、枠体の枠辺内側に接合可能に設けた係止片とを有して照明カバー装置用目地フックとしたことも特徴とする。
【発明の効果】
【０００７】
本発明の照明カバー装置によれば、張設したシートにより、枠体は枠辺中間部ほど強く枠体内方への引張力を受けるが、支持材に固着した目地フックの係止片が枠辺の内側を押さえ、かつ、平行する支持材に各固着した目地フックが枠体の対向枠辺を同時に内側から押えるので、枠体に変形を生じさせない。支持材の両側に隣接枠体の枠辺が目地間隔を置いて平行状態で架設される場合は、両側に固着される目地フックには相反方向への引張力が加わり、また、枠体の対向枠辺の目地フックにも相反方向への引張力が働くので、枠体を緩みなく支持し固定することができ、同時に、支持材に対して一定位置に枠体が定置できるので、平行する枠辺間の目地間隔を一定に維持させることができる。
目地フックを支持材にスライド可能に固着すれば、枠辺に撓みが生じた状態において、撓みの少ない枠辺端部に目地フックを装着させてからスライドさせ、枠辺の撓み部分を矯正しつつ挟着することができるようにすることもでき、変形の出ない枠体とすることができる。
こうして、本発明は新設施工或いは設置後の補修施工のいずれにも適応され、透光性シートに歪みを生じさせない。
【発明を実施するための最良の形態】
【０００８】
以下、図面を用いて本発明の実施形態を説明する。
図示の本照明カバー装置は天井に吊架する構成のものであり、枠辺２を四角囲い状に連結固定した枠体１に透光性シート３を張設してなる照明カバー４と、天井側に架設した支持材５（中間支持材５Ａ乃至端部支持材５Ｂ）と、上記支持材に固着し、上記枠体を係止する目地フック６とを少なくとも具備している。
【０００９】
枠体１は、適宜形態の長尺材を所望長さに切断して四辺の枠辺２を形成し、透光性シート３を張設可能な四角囲い状に連結固定してなるものであるが、図示例では、枠辺２は、内側面が下方開き傾斜した断面略直角三角形状の下枠部２１と、その上側に外側からコの字状凹陥部となるように形成したシート係止部２２と、目地フック６の係止片６３が係合可能なように垂直上方に立設し、その内側がL字状をなした目地フック用係合部２３と、上記凹陥部の上側を形成するとともに支持材５の下端部が当接可能なように、係合部の中間乃至下部位置から外側に突出した支持材当接部２４とを一体に有した構成として形成してあり、枠体１は、所望長さの枠辺２の両端を４５°に切断し、隣接枠辺の端部同士を直交状に接合させ、角部をビス固定してある。
【００１０】
上記シート係止部２２には固定部材２５が係合する。固定部材２５はシート３を挟んでシート係止部２２に係合可能な任意構成としてよいが、シート３の端部を挟着状態で凹陥部内に嵌入係止した状態において、シート３に引張力が加わったときに、この引張力が固定部材の一部を変形させてシート係止部２２と一層強い係合状態となるような凹凸係合構成としてあるのが好ましい。
例えば、図７に示す如く、固定部材２５を、固定部２５ａと係合部２５ｂの二部材を噛み合わせたものとし、固定部２５ａはボルトナットなどでシート係止部２２の凹陥部内奥に固着し、係合部２５ｂは凹陥部の開口方向に引き抜けないように透光性シート３端部を挟んで固定部２５ａと噛合し、透光性シートが引っ張られたときに噛合部分の一部が変形してより強く噛合するように形成したものとすることができる。これによりシートに引張力が加わるほどに固定部材がシートを強く挟着することになる。
【００１１】
透光性シート３は、枠体１に張設可能な例えば略矩形シートであり、適度な透孔性と適度な半乃至非透過性（隠蔽性）を有する光拡散性シートで、適度な柔軟性、耐屈曲性を持つものが好ましい。例えば、透光性の無機質繊維クロスに耐熱透光性樹脂シートを貼着してなる積層シートは、耐熱性、不燃性、防汚性が優れている。無機質繊維クロスとしてはガラス繊維クロスを、耐熱透光性樹脂シートとしてはフッ素樹脂・テフロン（登録商標）樹脂・シリコン樹脂などを使用することができる。なお、上記シートは、照明カバーとして用いる場合の例示であり、広告等に用いる場合はさらに適宜形状、材質のものを用いることができる。
【００１２】
照明カバー４は、上記枠体１の下面を覆うように透光性シート３を張り渡し、先ずシートの対向二辺付近をそれぞれ対向する枠辺２の下外側からシート係止部２２の上まで巻き付けつつ、固定部材２５を係合させてシート二辺を固着し、次いで残りの対向二辺を同様にして枠辺２に固着し、四隅部を納め処理するなどして形成してあり、枠体１の上部の内側には目地フック用係合部２３が形成され、外側には支持材当接部２４が形成されている。
【００１３】
支持材５は、枠体１を吊架するように所定間隔をもって縦横に天井側から吊架した角形状（Cチャンネル状などを含む）の型材であり、側面に目地フック６を係合可能な長手方向の上下向きスライド溝５１を形成してなり、中間支持材５Ａと端部支持材５Ｂの二種類を具備している。
中間支持材５Ａは、両側面にそれぞれスライド溝５１，５１を形成し、隣接設置される照明カバー４，４の目地間隔をおいて平行する枠辺２，２に各係止する目地フック６，６をそれぞれ係合可能な形態としてなり、端部支持材５Ｂは、片側面にスライド溝５１を形成し、照明カバー４の一枠辺２に係止する目地フック６を係合可能な形態としてなっている。
上記スライド溝５１は、図１，２に示すように上下に対向状に設けることができるが、図３に示すように側面下部にのみ上向きに設ける構成でもよく、この場合は、固定する位置で目地フック６の上部を支持材５にビス止めするのが好ましい。
【００１４】
図示はしていないが、上記照明カバー４の上部と上記支持材５の任意個所の上下対応部位には、照明カバー吊下げ部を設けてあり、Ｖばね（両上端部を外折れ係止部としてある）を用いる場合は、照明カバーの係合部２３の立上り上端部にＶばね下端部を装着し、このＶばねを支持材に設けた吊下げ部に挿通して圧着させるようにし、或いは、支持杆を用いる場合は、照明カバーの枠体上部に支持杆下端部を挿通固定し、この支持杆上部を支持材の吊下げ部に挿通してナットなどで固定することができる。
【００１５】
目地フック６は、図２にも示してあるように、支持材５の側面に接合して上下部乃至下部をスライド溝５１にスライド自在に係合可能な板状の基端部６１と、基端部の上部に形成したビス挿通用目印６２と、基端部の中間部位から側方及び下方に略逆L字状に張出折曲し、この下向き片を基端部より下方に長い片とするとともに、その中間部がL字内側に曲がりかつ下端部が外側に斜めに開いた「くの字」状に形成してなる係止片６３と、を有して構成してある。この目地フック６は一枠辺２の中央部に１個或いは中間部に適宜間隔をおいて２〜数個係止できるように装着すればよい。
【００１６】
上記構成の照明カバー装置は次のようにして施工される。
天井側には、照明カバー４が位置することになる所定位置に予め支持材５を縦横に組合せて架設される。目地フック６は支持材設置と同時に側面のスライド溝５１に係止しておくか、或いは後付け可能な場合は照明カバー装着時に係止させてもよく、照明カバー装置施工後に係止させるようにしてもよい。
照明カバー４を支持材５に吊架させつつ、四辺の各枠辺２の上部内側に形成されている係合部２３を目地フック６の係止片６３内側に差込むようにすれば、係止片６３の下部が内側にくの字状に開いているので、この傾斜に案内されて係合部２３が容易に目地フック６内に係合でき、各枠辺２の内側面に、くの字状の係止片６３がいずれも外側方向に圧接するようにして係合することになる。
【００１７】
目地フック６は支持材５の側面に固着されるので、１本の支持材両側に対向する目地フック６、６、及び枠体の両側位置に平行する支持材の側面に対向する目地フック６、６、のそれぞれの係止片６３、６３の間隔は常に一定間隔となり、前者により、１本の支持材両側に吊架された枠辺２、２は常に一定の目地間隔を維持することになり、隣接する照明カバー４、４の目地間隔が狂わない。後者により、枠体の対向する二枠辺２、２は常に一定の間隔を維持することになるので、照明カバー自体ががたつくことなく設置され、枠体には撓みが生じない。
なお、各構成部分は上記した施工が精度高くできるように形態、寸法などが相互に調整して設定されているものであることは言うまでもない。
【００１８】
図６は、目地フック６を後付けする場合の利用例を示している。目地フック６を装着しない状態においては、枠辺２が透光性シートに引張されて図の如く中間部が内側に撓みやすいが、撓みが生じた状態においても、枠辺の両端付近は支持材５から乖離していないので、この部分で支持材５に目地フック６を装着して係止片６３を枠辺２の内側に係合させることができ、支持材５に固着された目地フック６の係止片６３が枠辺２を挟持する如くなるので、枠辺中央部を強制的に縮めておいて目地フック６を枠辺中央部までスライドさせれば、図５の如く枠辺の撓みは強制的に矯正され、撓みのない状態に維持されることになる。
【図面の簡単な説明】
【００１９】
【図１】本発明に係る照明カバー装置の部分縦断面図である。
【図２】図１の照明カバー装置の要部を示す部分分解斜視図である。
【図３】図１の照明カバー装置の変形例を示す部分縦断面図である。
【図４】本照明カバー装置の設置状態を示す側断面図である。
【図５】図４の設置状態を上面視で示した概略上面図である。
【図６】変形した枠辺を目地用フックで矯正する前の変形状態を示す部分上面図である。
【図７】固定部材の一例を示す設置状態断面図である。
【符号の説明】
【００２０】
１    枠体
２    枠辺
２１  下枠部
２２  シート係止部
２３  目地フック用係合部
２４  支持材当接部
２５  固定部材
２５ａ  固定部
２５ｂ  係合部
３    透光性シート
４    照明カバー
５    支持材
５Ａ  中間支持材
５Ｂ  端部支持材
５１  スライド溝
６    目地フック
６１  基端部
６２  目印
６３  係止片
【図１】
2005203126.tif 000003
【図２】
2005203126.tif 000004
【図３】
2005203126.tif 000005
【図４】
2005203126.tif 000006
【図５】
2005203126.tif 000007
【図６】
2005203126.tif 000008
【図７】
2005203126.tif 000009